(57)【要約】【課題】  本発明は、解像度切り換えに要する時間での欠落のない再生映像の視聴ができる記録再生装置を提供することを目的とする。【解決手段】  本発明の記録再生装置は、映像信号の解像度の変更を指示する指示手段と、指示手段による指示が継続している期間は、出力中の前記映像信号の出力を停止し、指示手段による指示の継続が中断すると、映像信号の出力の停止を解除して出力を再開するように制御する制御手段とを備えたことを特徴とする。【選択図】      図２
2008060737.tif 000002
【特許請求の範囲】
【請求項１】
映像信号を記録している記録装置から前記映像信号をデコードし、前記デコードした前記映像信号の解像度を変換して出力する記録再生装置であって、
前記映像信号の解像度の変更を指示する指示手段と、
前記指示手段による指示が継続している期間は、出力中の前記映像信号の出力を停止し、前記指示手段による指示の継続が中断すると、前記映像信号の出力の停止を解除して前記出力を再開するように制御する制御手段と
を備えたことを特徴とする記録再生装置。
【請求項２】
前記映像信号の出力の停止を解除して前記出力を再開する場合、前記映像信号の出力は、前記映像信号の出力を停止した位置より所定時間遡った位置から出力を再開することを特徴とする請求項１記載の記録再生装置。
【請求項３】
前記映像信号の出力を停止した場合、前記停止した位置より所定時間遡った位置の前記映像信号を静止画像として出力することを特徴とする請求項１記載の記録再生装置。
【請求項４】
前記映像信号の出力を停止した場合、前記停止した位置の前記映像信号を静止画像として出力することを特徴とする請求項１記載の記録再生装置。
【発明の詳細な説明】
【技術分野】
【０００１】
本発明は、情報を記録，再生可能な記録再生装置に関する。
【背景技術】
【０００２】
現行DVDには、垂直解像度480本まで，HD DVDでは、垂直解像度1080本までの映像が記録されているが、記録再生装置において映像を再生する際には、D1(480i：480インターレース)，D2(480p：480プログレッシブ)，D3(1080i：1080インターレース)，D4(720p：720プログレッシブ)，D5(1080p：1080プログレッシブ)など、任意の解像度に変換して出力することが可能である。
【０００３】
上記に関し、デジタル放送受信機で、番組を切り換える際に、チャンネル間の映像の解像度が変わってしまう場合、デジタル放送受信機の性能によっては、切り換えに数秒の時間を要する。これに対応するために、一時的に解像度を固定して選局動作を行うことで、操作者に番組および、番組情報の表示など有効な情報をすばやく提示することができるテレビ受信装置が知られている(特許文献１)。
【特許文献１】特開2003-23578号公報
【発明の開示】
【発明が解決しようとする課題】
【０００４】
しかし、従来の装置は、一定時間後に最適な解像度に切り換えた時、その解像度切換が完了する間に流れる放送番組は視聴できないという問題点があった。これは記録再生装置において、HDD若しくはディスクに記録されている映像を再生した再生映像においても同様であり、解像度切換時の映像が欠落してしまうという問題点があった。
【０００５】
本発明は、解像度切り換えに要する時間での欠落のない再生映像の視聴ができる記録再生装置を提供することを目的とする。
【課題を解決するための手段】
【０００６】
上記目的を達成するために、本発明の記録再生装置は、映像信号を記録している記録装置から前記映像信号をデコードし、前記デコードした前記映像信号の解像度を変換して出力する記録再生装置であって、
【０００７】
前記映像信号の解像度の変更を指示する指示手段と、
前記指示手段による指示が継続している期間は、出力中の前記映像信号の出力を停止し、前記指示手段による指示の継続が中断すると、前記映像信号の出力の停止を解除して前記出力を再開するように制御する制御手段と
【０００８】
を備えたことを特徴とする。
また、前記映像信号の出力の停止を解除して前記出力を再開する場合、前記映像信号の出力は、前記映像信号の出力を停止した位置より所定時間遡った位置から出力を再開することを特徴とする。
【０００９】
また、前記映像信号の出力を停止した場合、前記停止した位置より所定時間遡った位置の前記映像信号を静止画像として出力することを特徴とする。
また、前記映像信号の出力を停止した場合、前記停止した位置の前記映像信号を静止画像として出力することを特徴とする。
【発明の効果】
【００１０】
本発明によれば、解像度切り換えに要する時間での欠落のない再生映像の視聴ができる。
【発明を実施するための最良の形態】
【００１１】
以下、図面を参照して本発明の実施の形態を説明する。
図１は、本発明に係る実施形態を備えた記録再生装置1の概略ブロック図である。図１に示す記録再生装置1は、ＤＶＤやHD DVDなどの光ディスクまたはハードディスクまたはビデオテープまたはフラッシュメモリ等のストレージ装置に記録された動画データを再生する機能を有する。
【００１２】
記録再生装置１は、内部ストレージ装置１１(例えば、HDD)、記録再生装置１内の各構成の動作を制御する制御部１２、リモコン４または記録再生装置に備え付けられたボタンへのユーザによる操作に応じた操作信号を制御部１２に出力する操作部１３、ＡＶデコーダ１４、解像度変換部１５、映像出力部１６から構成され、外部ストレージ装置２(例えば、DVDドライブ，HD DVDドライブ，HDD，フラッシュメモリ等)と映像表示装置３を接続することができる。
【００１３】
ＡＶデコーダ１４は、制御部１２より再生・一時停止等の制御命令を受け、内部ストレージ装置１１または外部ストレージ装置２から動画データを読み込んでデコードし、デコード後のビデオデータを解像度変換部１５に出力する。解像度変換部１５は、制御部１２より入力された出力解像度情報に従ってビデオデータの解像度を変換し、映像出力部１６に出力する。出力解像度情報は、リモコン4または記録再生装置１に備え付けられた解像度切換ボタン40をユーザが押すことにより変更される。『RD-XD92の取説(応用編)P.54より、リモコンの解像度切換ボタンの説明を追加』なお、解像度切換ボタン40は、ユーザがボタンを押す毎に、480i(D1)，480p(D2)，1080i(D3)，720p(D4)，1080p(D5)，480iと映像出力の切換を行うことができる。映像出力部１６は、解像度変換部１５より入力されたビデオデータをアナログビデオ信号やデジタルビデオ信号などのフォーマットに変換し、映像表示装置３に出力する。
【００１４】
図２は、制御部１２の動作フローチャートである。内部ストレージ装置１１または外部ストレージ装置２から読み取った動画データの再生開始後、ユーザが解像度切換ボタン40を押し、出力解像度を変更する操作信号が操作部１３より入力されたかどうかを監視する。なお、解像度切換ボタン40が押されている間は、操作信号が入力され続けることになる（ステップ１０１）。出力解像度を変更する操作信号が入力された場合は、解像度変換部１５に出力する出力解像度情報を変更することで、映像出力部１６から出力されるビデオ信号のフォーマットが変更される（ステップ１０２）。ＡＶデコーダ１４でデコードしたデータについて、再生中の一時停止が許可されているかどうかを判定する（ステップ１０３）。一時停止が許可されている場合は、動画データの再生を一時停止するようにＡＶデコーダ１４を制御する。映像出力部１６からは、動画データを一時停止した時点での静止画が出力されている（ステップ１０４）。ユーザが解像度切換ボタン40を離すことにより、操作部１３から入力される出力解像度を変更する操作信号が途絶えたかどうかを監視する。ユーザが解像度切換ボタン40を押し続けている間は動画データの再生は一時停止されたままとなる（ステップ１０５）。ユーザが解像度切換ボタン40を離した場合は、動画データの再生を再開させるようにＡＶデコーダ１４を制御する（ステップ１０６）。
【００１５】
なお、動画データ再生中に出力解像度が切り換わる例としては、ユーザが任意に解像度を切り換える操作を行った場合(解像度切換ボタン40を押す)，HD DVD、ブルーレイ・ディスクで採用されているAACSに準拠したコンテンツを再生中、アナログ映像出力解像度制限情報に基づいて出力解像度をユーザの操作無しに切り換える場合，あるいは動画データを再生中にテレビとHDMIケーブルで接続し、テレビ側が対応する解像度に自動的に切り換えられた場合などが挙げられる。
【００１６】
また、動画データの再生を一時停止する時間については、必ずしも解像度切換ボタン40を押されている間の時間と同一にする必要はない。例えば、解像度切換ボタン40を離してから1秒後に再生を再開する，解像度切換ボタン40を連打した回数に応じて一時停止時間を定めても良い。
【００１７】
この他、一時停止から再生を再開する際は、一時停止した瞬間より所定時間遡った時点から再生しても良い。また、一時停止時に出力する静止画は、一時停止した瞬間より所定時間遡った時点の静止画を出力しても良い。
【００１８】
そして、本実施の形態では、以下を考慮したものである。記録再生装置の出力解像度を切り換えてから、切り換えられた解像度の映像が映像表示装置に表示されるまでにはタイムラグがある。ユーザが出力解像度を切り換える操作を行ってから、記録再生装置から出力されるビデオ信号が意図したフォーマットに切り換わるまでの時間が短時間で一定である場合でも、上記タイムラグは映像表示装置側の能力によって変わってしまう。そのため、動画データ再生中に解像度を切り換えたときにユーザは一定時間再生している動画データを視聴することができなくなってしまう。
【００１９】
また、映像ケーブル・音声ケーブル共にテレビと繋いでいる場合、あるいはHDMIケーブルで映像・音声ともにテレビへ出力している場合は、ユーザはタイムラグの間の動画データを、映像・音声ともに認識できないことになる。また、映像ケーブルはテレビに、音声ケーブルはAVアンプと繋いでいる場合には、タイムラグの間に映像は見えずに音声だけ聞こえることになる。
【００２０】
そして、本発明によれば、映像出力解像度が切り換えられた時点で自動的に再生が一時停止し、切り換えられた解像度の映像が記録再生装置に表示されてから再生を再開させることが可能になる。また、上記の通り、タイムラグは受像機器によって異なるが、一時停止する時間は解像度切換ボタン40を押している時間によって決定されるので、ユーザが自身の環境に合わせてボタンを押す時間の長さを変えることによって、ユーザは違和感なく連続して映像・音声共に動画データを視聴することができる。動画データを連続して視聴できないことが気にならならず、本発明の機能を必要としないユーザは、解像度切換ボタン40を長く押さずに、一瞬だけ押せばよい。
【図面の簡単な説明】
【００２１】
【図１】本発明の一実施の形態による記録再生装置の概略構成図。
【図２】同実施の形態にかかわる制御部１２の動作フローチャート。
【符号の説明】
【００２２】
1  記録再生装置
4  リモコン
12  制御部
40  解像度切換ボタン
【図１】
2008060737.tif 000003
【図２】
2008060737.tif 000004